(57)【特許請求の範囲】
【請求項１】
複数の加熱部と、各加熱部の自動運転に関する各種操作を行うための操作部と、該操作部の操作に応じて各加熱部の運転を制御する制御部とを備えるコンロにおいて、
前記操作部は、各加熱部の夫々に対応して複数設けられ、各加熱部で行われる自動調理モードを選択可能な状態とする調理モード操作スイッチと、各加熱部及び各調理モード操作スイッチに対して共通に用いられ、自動調理モードが選択可能状態の加熱部に対してデータの設定操作を行うデータ設定操作スイッチと、各加熱部の情報を画面内の各別の表示領域に表示するように構成された表示画面とを備え、
前記制御部は、前記表示画面の前記各表示領域を制御する画面表示制御部と、複数の前記加熱部による自動調理運転中に、何れかの調理モード操作スイッチが操作されたとき、当該操作が行われた調理モード操作スイッチに対応する加熱部に対してのみ前記データ設定操作スイッチによる設定変更を許可状態とする設定制御部とを備えることを特徴とするコンロ。
【請求項２】
前記設定制御部は、自動調理運転中の前記加熱部に対する設定変更を許可状態としたとき、データ設定操作スイッチが所定時間操作されなかった場合に該加熱部に対する設定変更の許可状態を解除することを特徴する請求項１記載のコンロ。
【請求項３】
前記設定制御部は、自動調理運転が終了するまでの残り時間が所定時間となったとき、当該自動調理運転中の前記加熱部に対する前記データ設定操作スイッチによる設定変更を許可状態とすることを特徴とする請求項１又は２記載のコンロ。
【請求項４】
前記画面表示制御部は、自動調理運転中の前記加熱部が前記設定制御部により設定変更許可状態となったとき、前記表示画面における当該加熱部の情報を表示する領域に、設定変更が許可状態となった旨の表示を行うことを特徴とする請求項１〜３の何れか１項記載のコンロ。
【請求項５】
前記設定制御部は、何れか一つの前記加熱部のみが自動調理運転中であるとき、当該加熱部に対して前記データ設定操作スイッチによる設定変更を常時許可状態とすることを特徴とする請求項１〜４の何れか１項記載のコンロ。
【請求項６】
前記データ設定操作スイッチは、第１のデータの設定及び変更を行うための第１のデータ設定操作スイッチと、前記第１のデータと異なる第２のデータの設定及び変更を行うための第２のデータ設定操作スイッチとを備え、
前記操作部は、前記第１のデータ設定操作スイッチの操作が受付状態であることを示す第１操作受付表示部と、前記第２のデータ設定操作スイッチの操作が受付状態であることを示す第２操作受付表示部とを備え、
前記制御部は、前記設定制御部が変更を許可する設定内容に応じて、第１操作受付表示部と第２操作受付表示部との表示を制御する受付表示制御部を備えることを特徴とする請求項１〜５の何れか１項記載のコンロ。
【発明の詳細な説明】
【技術分野】
【０００１】
本発明は、複数の加熱部を備えて各加熱部による自動運転が実行可能とされているコンロに関する。
【背景技術】
【０００２】
従来、複数のコンロバーナ（加熱部）を備えて、各コンロバーナで自動調理が行えるガスコンロが知られている。この種のガスコンロは、各コンロバーナに対する自動調理の設定を個別に行うため、自動調理モードを選択可能な状態とする調理モード操作スイッチや、各調理モードのデータの設定操作を行うデータ設定操作スイッチが、各コンロバーナに対応して複数設けられる。
【０００３】
各コンロバーナ用の調理モード操作スイッチやデータ設定操作スイッチは、コンロ本体の前面側に備える操作部に纏めて設けられる。しかし、コンロ本体の前面側の限られたスペースに設けられる操作部は、各スイッチを設けるための面積が比較的小さいために、複数のスイッチを密集させて設けなければならない。
【０００４】
そこで、複数のコンロバーナを切り換えるバーナ切換スイッチを設け、バーナ調理モード操作スイッチやデータ設定操作スイッチを、複数のコンロバーナで共用できるように構成したコンロが提案されている（下記特許文献１参照）。
【先行技術文献】
【特許文献】
【０００５】
【特許文献１】特開２００９−３０８６７号公報
【発明の概要】
【発明が解決しようとする課題】
【０００６】
しかし、上記従来のものは、複数のコンロバーナに対して異なる自動調理モードが設定されているときに、何れのコンロバーナに何れの自動調理モードが設定されているかをユーザが即座に把握することはできず、バーナ切換スイッチ等を用いて切り換えて表示させる等の煩わしい操作が必要であるために、使い勝手が悪い。
【０００７】
上記の点に鑑み、本発明は、自動調理モードの設定状況が容易に把握できて使い勝手の良いコンロを提供することを目的とする。
【課題を解決するための手段】
【０００８】
かかる目的を達成するために、本発明は、複数の加熱部と、各加熱部の自動運転に関する各種操作を行うための操作部と、該操作部の操作に応じて各加熱部の運転を制御する制御部とを備えるコンロにおいて、前記操作部は、各加熱部の夫々に対応して複数設けられ、各加熱部で行われる自動調理モードを選択可能な状態とする調理モード操作スイッチと、各加熱部及び各調理モード操作スイッチに対して共通に用いられ、自動調理モードが選択可能状態の加熱部に対してデータの設定操作を行うデータ設定操作スイッチと、各加熱部の情報を画面内の各別の表示領域に表示するように構成された表示画面とを備え、前記制御部は、前記表示画面の前記各表示領域を制御する画面表示制御部と、複数の前記加熱部による自動調理運転中に、何れかの調理モード操作スイッチが操作されたとき、当該操作が行われた調理モード操作スイッチに対応する加熱部に対してのみ前記データ設定操作スイッチによる設定変更を許可状態とする設定制御部とを備えることを特徴とする。
【０００９】
本発明によれば、前記表示画面を設けたことにより、各加熱部の情報が画面内の各別の領域に表示されるから、ユーザは、何れの加熱部に何れの自動調理モードが設定されているかを即座に把握することができる。
【００１０】
更に、データ設定操作スイッチを複数の加熱部で共有するため、データ設定操作スイッチの数を少なくしてスイッチ類の密集度を緩和することができるだけでなく、表示画面を設けるための十分なスペースを操作部に確保することができ、比較的大きな表示画面を採用して視認性を向上させることができる。
【００１１】
そしてこの場合、データ設定操作スイッチの誤操作による不用意な設定変更を防止するために、調理モード操作スイッチの操作に応じてデータ設定操作スイッチ操作での設定変更を許可状態とする。これにより、ユーザは、自ら行った調理モード操作スイッチの操作に伴い、設定変更が許可状態となったデータ設定操作スイッチに対応する加熱部を、容易に把握することができる。
【００１２】
また、本発明における前記設定制御部は、自動調理運転中の前記加熱部に対する設定変更を許可状態としたとき、データ設定操作スイッチが所定時間操作されなかった場合に該加熱部に対する設定変更の許可状態を解除することが好ましい。
【００１３】
即ち、前記加熱部に対する設定変更が完了したことによりその後にデータ設定操作スイッチが操作されなかったとき、或いは、調理モード操作スイッチの操作のみが行われてその後前記加熱部に対する設定変更が放置されたときは、データ設定操作スイッチによる加熱部に対する設定変更の許可状態を解除する。これにより、データ設定操作スイッチの誤操作による不用意な設定変更を防止することができる。ユーザは、その後、加熱部に対する設定変更が必要になれば、再度当該加熱部に対応する調理モード操作スイッチを操作して、データ設定操作スイッチによる設定変更を許可状態とすればよい。
【００１４】
また、本発明における前記設定制御部は、自動調理運転が終了するまでの残り時間が所定時間となったとき、当該自動調理運転中の前記加熱部に対する前記データ設定操作スイッチによる設定変更を許可状態とすることが好ましい。
【００１５】
例えば、自動調理モードによる調理を行っている加熱部を用いた調理が終了間近になって（具体的には、自動調理のタイマの残時間が３０秒となって）その残時間のカウントダウンが始まったとき、当該加熱部に対する前記データ設定操作スイッチによる設定変更を許可状態とする。これによれば、調理が終了間近になったときに調理の状態を見たユーザが、残時間を延長する必要があると判断した場合、ユーザは、調理モード操作スイッチの操作を行うことなく設定変更（調理時間を延長する設定）を行うことができるので、使い勝手が良い。
【００１６】
また、本発明における前記画面表示制御部は、自動調理運転中の前記加熱部が前記設定制御部により設定変更許可状態となったとき、前記表示画面における当該加熱部の情報を表示する領域に、設定変更が許可状態となった旨の表示を行うことが好ましい。これによれば、ユーザは表示画面を確認して設定変更が行える加熱部を確実に把握することができる。
【００１７】
また、本発明における前記設定制御部は、何れか一つの前記加熱部のみが自動調理運転中であるとき、当該加熱部に対して前記データ設定操作スイッチによる設定変更を常時許可状態とすることが好ましい。複数の加熱部のうちの一つの加熱部が自動調理運転で使用中である場合には、設定変更の要求は使用中の加熱部に対してのみ生じる。よって、この場合には、自動調理運転中の加熱部に対するデータ設定操作スイッチによる設定変更を常時許可状態とすることで、調理モード操作スイッチの操作を不要として操作を簡略化することができる。
【００１８】
また、本発明において、前記データ設定操作スイッチは、第１のデータの設定及び変更を行うための第１のデータ設定操作スイッチと、前記第１のデータと異なる第２のデータの設定及び変更を行うための第２のデータ設定操作スイッチとを備え、前記操作部は、前記第１のデータ設定操作スイッチの操作が受付状態であることを示す第１操作受付表示部と、前記第２のデータ設定操作スイッチの操作が受付状態であることを示す第２操作受付表示部とを備え、前記制御部は、前記設定制御部が変更を許可する設定内容に応じて、第１操作受付表示部と第２操作受付表示部との表示を制御する受付表示制御部を備えることを特徴とする。
【００１９】
例えば、自動調理モードのなかには、第１のデータ設定操作スイッチと第２のデータ設定操作スイッチとの何れか一方を用いて他方を用いない設定内容を有するものがある。本発明によれば、受付表示制御部が、第１操作受付表示部と第２操作受付表示部とを用いて、変更を許可する方のデータ設定操作スイッチを示すので、ユーザは、当該自動調理モードによる調理中の加熱部に対して使用可能なデータ設定操作スイッチを正確に把握でき、設定変更の操作を円滑に行うことができる。
【図面の簡単な説明】
【００２０】
【図１】本発明の実施形態のコンロを示す図。
【図２】コンロの要部を示す図。
【図３】制御部と表示画面を示す説明図。
【図４】制御部による表示画面の制御を示すフローチャート。
【発明を実施するための形態】
【００２１】
本発明の一実施形態を図面に基づいて説明する。本実施形態のガスコンロ１は、本発明のコンロに相当するものであり、図１に示すように、コンロ本体２の上面を覆う天板３から露出する３つのコンロバーナ、即ち、左コンロバーナ４（以下、左コンロ４という）、右コンロバーナ５（以下、右コンロ５という）、及び後コンロバーナ６（以下、後コンロ６という）を備えている。左コンロ４、右コンロ５、及び後コンロ６は本発明の加熱部に相当する。なお、本実施形態においては、左コンロ４が最大火力の最も大きいバーナであり、後コンロ６が最大火力の最も小さいバーナとなっている。また、コンロ本体２の内部には、図示しないグリルバーナを備えるグリル７が設けられている。
【００２２】
コンロ本体２の前面には、押し操作や回転操作により左コンロ４の点・消火や火力調節を行うための左コンロ操作ボタン８が設けられており、同じく、右コンロ５の操作のための右コンロ操作ボタン９、後コンロ６の操作のための後コンロ操作ボタン１０、及び、グリル７を操作するためのグリル操作ボタン１１が設けられている。
【００２３】
更に、コンロ本体２の前面で、各操作ボタン８，９，１０，１１の下方位置には、開閉自在の前面パネル１２，１３が設けられている。図２は一方の前面パネル１２（図１の紙面に向かって右側の前面パネル）を示している。
【００２４】
図２に示すように、前面パネル１２は、ユーザの押し操作により手前に傾動する傾動部１４に連結されている。傾動部１４の上面には操作パネル１５が設けられている。傾動部１４が傾動して手前に繰り出すことにより、操作パネル１５が適度に傾斜してユーザに対面する。これにより、ユーザは操作パネル１５の視認及び操作が良好に行える。また、傾動部１４を押し起こすようにして前面パネル１２を閉じると、操作パネル１５はコンロ本体２の内部に隠れるので、操作パネル１５の汚れ等を防止することができる。なお、図１に示した他方の前面パネル１３（図１の紙面に向かって左側の前面パネル）は、グリル７専用に設けられた傾動部であるので図示及び説明を省略する。
【００２５】
操作パネル１５には、図３に示すように、ドットマトリクス方式の液晶ディスプレイ（ＬＣＤ）による表示画面１６が設けられている。なお、本実施形態では液晶の表示画面１６を採用しているが、液晶以外に採用可能なドットマトリクス方式の表示画面として、有機エレクトロルミネッセンス（有機ＥＬ）等を挙げることができる。
【００２６】
表示画面１６は、左コンロ４に関する各種情報が表示される左コンロ用表示領域１７と、右コンロ５に関する各種情報が表示される右コンロ用表示領域１８と、後コンロ６に関する各種情報が表示される後コンロ用表示領域１９とを備えている。表示画面１６における３つの表示領域１７，１８，１９は、各コンロバーナ４，５，６の情報を同時に表示可能となっている。各表示領域１７，１８，１９には「左コンロ」「右コンロ」「後コンロ」といった各コンロバーナ４，５，６の名称を示すタグが表示され、これによって、ユーザは、各表示領域１７，１８，１９が何れのコンロバーナ４，５，６の情報なのかを正確に把握することができる。
【００２７】
表示画面１６の一側方には、「アップ」スイッチ２０ａと「ダウン」スイッチ２０ｂとが配設され、他側方には、「＋」スイッチ２１ａと「−」スイッチ２１ｂとが配設されている。
【００２８】
「アップ」スイッチ２０ａと「ダウン」スイッチ２０ｂとは、温度設定等の第１のデータを変更するときに操作するもので、本発明における第１のデータ設定操作スイッチに相当する。「＋」スイッチ２１ａと「−」スイッチ２１ｂとは、タイマ時間設定等の第２のデータを変更するときに操作するもので、本発明における第２のデータ設定操作スイッチに相当する。
【００２９】
また、操作パネル１５は、左コンロ４に対する設定操作を行う後述のスイッチ２５，２６，２７，２８が配設された左コンロ用操作領域２２と、右コンロ５に対する設定操作を行う後述のスイッチ２９，３０，３１，３２が配設された右コンロ用操作領域２３と、後コンロ６に対する設定操作を行う後述のスイッチ３３，３４が配設された後コンロ用操作領域２４とを備えている。
【００３０】
左コンロ用操作領域２２には、「オート」スイッチ２５、「温度」スイッチ２６、「タイマ」スイッチ２７、及び「あぶり 高温炒め」スイッチ２８が設けられている。「オート」スイッチ２５、「温度」スイッチ２６、及び「タイマ」スイッチ２７は、本発明の調理モード操作スイッチに相当する。
【００３１】
「オート」スイッチ２５は、押し操作することにより、左コンロ４に設定する調理モードとして、「湯わかしモード」、「茹で物モード」、「麺茹でモード」、及び「麺茹で大モード」が選択可能となる。これらのモード名称は、表示画面１６の左コンロ用表示領域１７に１つずつ表示され、「アップ」スイッチ２０ａ又は「ダウン」スイッチ２０ｂの操作によりモード名称表示を切り換えて選択状態とすることができる。
【００３２】
なお、「湯わかしモード」は、水が入れられた調理容器を加熱し、水の沸騰後に自動で保温・消火するモードである。「茹で物モード」は、水と根菜類等の被調理物とが入れられた調理容器を加熱し、水の沸騰状態が維持されるように加熱力を調節するモードである。「麺茹でモード」は、水が入れられた調理容器を加熱し、水の沸騰後にそば、うどん、パスタ等の麺類等の被調理物を調理容器に投入し、吹き零れを抑制しつつ沸騰状態が維持されるように加熱力を調節するモードである。「麺茹で大モード」は、調理容器のサイズに応じて設定される加熱量（火力及び加熱時間）が大きい以外は、麺茹でモードと同一である。
【００３３】
「温度」スイッチ２６は、押し操作することにより、左コンロ４によって加熱する被調理物の温度が設定可能となる。温度設定の変更を指示するとき、「アップ」スイッチ２０ａ又は「ダウン」スイッチ２０ｂを操作する。このとき、ユーザが設定した温度に基づいて左コンロ４の運転が行われることから、本実施形態においては、自動調理モードとして扱う。
【００３４】
「タイマ」スイッチ２７は、押し操作することにより、左コンロ４に対するタイマ時間（加熱調理の実行時間）を設定変更可能とする。時間設定の変更を指示するとき、「＋」スイッチ２１ａ又は「−」スイッチ２１ｂを操作する。このとき、ユーザが設定した時間に基づいて左コンロ４の運転が行われることから、本実施形態においては、自動調理モードとして扱う。
【００３５】
更に、本実施形態のガスコンロ１は、図示しないが、各コンロ４，５上に調理容器が載置されているか否かを検知し、調理容器が載置されていないときに火力を小さくする機能を備えるが、「あぶり 高温炒め」スイッチ２８は、押し操作により、左コンロ４上の調理容器の有無の検知を解除する。これにより、「あぶり 高温炒め」スイッチ２８は、炒め調理のように大火力を維持して鍋を振る調理を行う際に好適に用いられる。
【００３６】
右コンロ用操作領域２３には、「オート」スイッチ２９、「温度」スイッチ３０、「タイマ」スイッチ３１、及び「あぶり 高温炒め」スイッチ３２が設けられている。「オート」スイッチ２９、「温度」スイッチ３０、及び「タイマ」スイッチ３１は、本発明の調理モード操作スイッチに相当する。なお、右コンロ用操作領域２３の各スイッチ２９，３０，３１，３２は、上述した左コンロ用操作領域２２の各スイッチ２５，２６，２７，２８と同様にして、右コンロ５の設定等に関する操作を行うものであるので、その説明を省略する。
【００３７】
後コンロ用操作領域２４には、「炊飯」スイッチ３３、及び「タイマ」スイッチ３４が設けられている。「炊飯」スイッチ３３は、後コンロ６で行う自動調理モードとして「炊飯モード」を指示する。「炊飯」スイッチ３３、及び「タイマ」スイッチ３４は、本発明の調理モード操作スイッチに相当する。
【００３８】
後コンロ用操作領域２４の「タイマ」スイッチ３４は、押し操作することにより、後コンロ６に対するタイマ時間（加熱調理の実行時間）を設定可能とする。時間設定の変更を指示するとき、「＋」スイッチ２１ａ又は「−」スイッチ２１ｂを操作する。このとき、ユーザが設定した時間に基づいて後コンロ６の運転が行われることから、本実施形態においては、自動調理モードとして扱う。
【００３９】
また、「アップ」スイッチ２０ａと「ダウン」スイッチ２０ｂとの間の位置にはＬＥＤを用いた第１受付ランプ３５（第１操作受付表示部）が設けられており、「＋」スイッチ２１ａと「−」スイッチ２１ｂとの間の位置にはＬＥＤを用いた第２受付ランプ３６（第２操作受付表示部）が設けられている。
【００４０】
上記構成の操作パネル１５は、ガスコンロ１が備えるコントローラ３７（制御部）により制御される。コントローラ３７は、ガスコンロ１の各コンロバーナ４，５，６の自動調理運転を制御する自動調理制御部３８と、表示画面１６を制御する画面表示制御部３９と、第１受付ランプ３５及び第２受付ランプ２６を制御する受付表示制御部４０と、左コンロ４、右コンロ５、後コンロ６のうち何れかのコンロバーナを用いて自動調理運転を行っているとき、当該コンロバーナに対する設定変更を許可状態とする設定制御部４１とを備えている。
【００４１】
次に、本発明の要旨にかかるコントローラ３７の作動を説明する。以下、左コンロ４について説明するが、他のコンロ（右コンロ５や後コンロ６）も略同様であるので、他のコンロについての説明を省略する。
【００４２】
図４に示すように、コントローラ３７は、ＳＴＥＰ１で左コンロ４による自動調理運転を開始すると、ＳＴＥＰ２へ進み、他のコンロ（ここでは、右コンロ５や後コンロ６）が運転中か否かを判断する。
【００４３】
コントローラ３７は、他のコンロが運転中である場合にＳＴＥＰ３へ進み、調理モード操作スイッチ（スイッチ２５，２６，２７の何れか）が操作されたか否かを判断する。そして、調理モード操作スイッチ（スイッチ２５，２６，２７の何れか）が操作された場合は、コントローラ３７は、ＳＴＥＰ４へ進んで設定制御部４１を介して左コンロ４の設定変更を許可状態とする。
【００４４】
左コンロ４の設定変更が許可状態となると、「アップ」スイッチ２０ａ及び「ダウン」スイッチ２０ｂや「＋」スイッチ２１ａ及び「−」スイッチ２１ｂを操作して自動調理モードのデータ（温度や時間）の変更が可能となる。このときの、「アップ」スイッチ２０ａ及び「ダウン」スイッチ２０ｂと、「＋」スイッチ２１ａ及び「−」スイッチ２１ｂは、左コンロ４の設定変更に対して有効な状態となる。
【００４５】
更にコントローラ３７は、ＳＴＥＰ５へ進んで、画面表示制御部３９を介して左コンロ用表示領域１７の「左コンロ」タグを点滅（黒背景と抜き文字の間欠反転でもよい）させる。これにより、設定変更が可能となったことをユーザに示すことができるだけでなく、速やかに変更操作を行うよう、ユーザによる変更操作を促すことができる。
【００４６】
更にコントローラ３７は、ＳＴＥＰ６で自動調理モードのデータ（温度や時間）が変更がされずに所定の待ち時間（例えば３０分）が経過したとき、ＳＴＥＰ７へ進む。ＳＴＥＰ７へ進んだコントローラ３７は、画面表示制御部３９を介して左コンロ用表示領域１７の「左コンロ」タグの点滅を終了させ、ＳＴＥＰ８で設定制御部４１を介して左コンロ４の設定変更を許可した状態を解除してＳＴＥＰ２へ戻る。
【００４７】
また、ＳＴＥＰ３で調理モード操作スイッチ（スイッチ２５，２６，２７）が操作されない場合には、コントローラ３７はＳＴＥＰ９へ進み、ここで自動調理の残り時間が３０秒以下である場合には、ＳＴＥＰ１０へ進む。コントローラ３７は、ＳＴＥＰ１０へ進むと、他のコンロ（右コンロ５又は後コンロ６）が設定変更を許可された状態か否かを判断する。即ち、これより先に、設定変更が許可されたコンロがあった場合には、そのコンロの設定変更が優先される。
【００４８】
ＳＴＥＰ１０で他のコンロ（右コンロ５又は後コンロ６）が設定変更を許可された状態でなければ、コントローラ３７はＳＴＥＰ１１で設定制御部４１を介して左コンロ４の設定変更を許可状態とする。自動調理の残り時間が３０秒以下になると、調理の進行具合を見たユーザが更に調理時間を延長する場合がある。
【００４９】
このときのユーザの要望に対応するために、自動調理の残り時間が３０秒以下になり、他のコンロ（右コンロ５又は後コンロ６）で設定変更を許可されていない場合は、自動的に（ユーザの操作を必要とせず）左コンロ４の設定変更を許可した状態となる。更に、本実施形態においてはＳＴＥＰ１１で左コンロ４の設定変更が許可された状態となっても、ＳＴＥＰ５のような左コンロ用表示領域１７の「左コンロ」タグを点滅させる処理は行わない。なお、この場合に、左コンロ用表示領域１７の「左コンロ」タグを点滅させる処理を行うようにしてもよい。
【００５０】
そして、コントローラ３７は、ＳＴＥＰ１２へ進み、再度自動調理の残り時間が３０秒以下であるか否かを判断する。このとき、ユーザによって調理時間を延長する設定変更が行われ、残り時間が３０秒より延長された場合には、ＳＴＥＰ３へ戻る。
【００５１】
また、ＳＴＥＰ２で他のコンロ（ここでは、右コンロ５や後コンロ６）が運転中でない場合、コントローラ３７はＳＴＥＰ１３へ進み、左コンロ４の設定変更を許可状態とする。これにより、「アップ」スイッチ２０ａ及び「ダウン」スイッチ２０ｂと、「＋」スイッチ２１ａ及び「−」スイッチ２１ｂは、左コンロ４の設定変更に対して有効な状態となる。
【００５２】
その後、他のコンロ（右コンロ５や後コンロ６）による自動調理が開始されない限り、コントローラ３７はＳＴＥＰ１３とＳＴＥＰ２とを巡って左コンロ４の設定変更を許可した状態を維持する。そして、この場合には、ＳＴＥＰ５のような左コンロ用表示領域１７の「左コンロ」タグを点滅させる処理は行わない。これにより、左コンロ４の設定変更が許可されている状態が長時間（左コンロ４による調理終了まで）に及んでも、表示画面１６の見易さを優先させることができる。
【００５３】
ところで、自動調理モードにおいては、設定が変更できるデータの種類が異なる場合がある。即ち、図３を参照して説明すると、「タイマ」スイッチ２７を押し操作して「タイマモード」を選択した場合に、時間の設定は「＋」スイッチ２１ａと「−」スイッチ２１ｂとを用いるが、「アップ」スイッチ２０ａと「ダウン」スイッチ２０ｂは用いない。また、「オート」スイッチ２５を押し操作すると、「アップ」スイッチ２０ａと「ダウン」スイッチ２０ｂを用いて調理モードを選択でき、更に例えば、ここで「麺茹でモード」を選択すると、「＋」スイッチ２１ａと「−」スイッチ２１ｂとを用いて湯の沸騰後の時間（麺茹で時間）を設定することができる。このように、自動調理モードの種類により、「アップ」スイッチ２０ａ及び「ダウン」スイッチ２０ｂと、「＋」スイッチ２１ａ及び「−」スイッチ２１ｂとの何れか一方を使用する場合や両方を使用する場合がある。このため、ユーザにとって何れが使用できるモードなのかが判別し難いといった不都合もある。
【００５４】
そこで、コントローラ３７は、ＳＴＥＰ４、ＳＴＥＰ１１、ＳＴＥＰ１３において、左コンロ４の設定変更を許可したとき、ＳＴＥＰ１の自動調理運転を行っている（現在行っている調理の）自動調理モードで変更可能となるデータを明確に示すため、第１受付ランプ３５と第２受付ランプ３６とを用いる。
【００５５】
具体的には、コントローラ３７は、左コンロ４で現在行っている自動調理モードで、変更可能とするデータが「アップ」スイッチ２０ａと「ダウン」スイッチ２０ｂとを使用するものであるとき、受付表示制御部４０を介して第１受付ランプ３５を点灯させる。同じく、「＋」スイッチ２１ａと「−」スイッチ２１ｂとを使用するものであるとき、受付表示制御部４０を介して第２受付ランプ３６を点灯させる。これによれば、ユーザにとって設定変更の際に使用できるスイッチが明確に判断できるので、使い勝手が向上する。
【００５６】
なお、本実施形態においては、コンロとしてガスコンロ１を挙げて説明したが、本発明は、ガスコンロ１以外に、図示しないが、電磁誘導による加熱部を備えるＩＨコンロにも適用することができる。
【符号の説明】
【００５７】
１…ガスコンロ（コンロ）、４…左コンロバーナ（加熱部）、５…右コンロバーナ（加熱部）、６…後コンロバーナ（加熱部）、１６…表示画面、２０ａ…「アップ」スイッチ（第１のデータ設定操作スイッチ）、２０ｂ…「ダウン」スイッチ（第１のデータ設定操作スイッチ）、２１ａ…「＋」スイッチ（第２のデータ設定操作スイッチ）、２１ｂ…「−」スイッチ（第２のデータ設定操作スイッチ）、２２…左コンロ用操作領域（操作部）、２３…右コンロ用操作領域（操作部）、２４…後コンロ用操作領域（操作部）、２５…「オート」スイッチ（調理モード操作スイッチ）、２６…「温度」スイッチ（調理モード操作スイッチ）、２７…「タイマ」スイッチ（調理モード操作スイッチ）、２９…「オート」スイッチ（調理モード操作スイッチ）、３０…「温度」スイッチ（調理モード操作スイッチ）、３１…「タイマ」スイッチ（調理モード操作スイッチ）、３３…「炊飯」スイッチ（調理モード操作スイッチ）、３４…「タイマ」スイッチ（調理モード操作スイッチ）、３５…第１受付ランプ（第１操作受付表示部）、３６…第２受付ランプ（第２操作受付表示部）、３７…コントローラ（制御部）、３９…画面表示制御部、４０…受付表示制御部、４１…設定制御部。
【図１】
0006660729.tif 000002
【図２】
0006660729.tif 000003
【図３】
0006660729.tif 000004
【図４】
0006660729.tif 000005